(57)【特許請求の範囲】
【請求項１】
被検者を撮影する撮影手段と、
被検者の識別情報を取得する情報取得手段と、
前記情報取得手段により識別情報が取得された状態で、前記撮影手段により被検者を撮影して得られる被検者画像を取得する画像取得手段と、
前記画像取得手段による被検者画像の取得に応じて、該被検者画像と前記情報取得手段により取得された識別情報とを関連付けて記憶部に記憶させる記憶制御手段と、
前記被検者画像に基づく画像を表示部に表示させる表示制御手段と、
前記画像取得手段による被検者画像の取得に応じて、前記被検者画像を前記被検者の電子カルテ情報として登録する第一の設定とし、該第一の設定となっている前記被検者画像に基づく画像であって前記表示部に表示された画像に対する操作入力に応じて、前記被検者画像を前記被検者の電子カルテ情報として登録しない第二の設定とする設定手段と、
前記第一または第二の設定である被検者画像を外部に出力する出力手段と、
を有することを特徴とする情報処理装置。
【請求項２】
被検者の識別情報を取得する情報取得手段と、
撮影装置で前記被検者を撮影して得られる被検者画像を該撮影装置から受信する受信手段と、
該被検者画像と、前記情報取得手段により取得された識別情報と関連付けて記憶部に記憶させる記憶制御手段と、
前記被検者画像に基づく画像を表示部に表示させる表示制御手段と、
前記受信手段による被検者画像の受信に応じて、該被検者画像を未設定または前記被検者の電子カルテ情報として登録しない第二の設定のいずれかの設定とし、該設定とされた該被検者画像に基づく画像であって前記表示部に表示された画像に対する操作入力に応じて該被検者画像を前記被検者の電子カルテ情報として登録する第一の設定とする設定手段と、
前記第一または第二の設定である被検者画像を外部に出力する出力手段と、
を有することを特徴とする情報処理装置。
【請求項３】
前記出力手段は、前記第一の設定となっている被検者画像を、電子カルテ情報を管理する装置に出力し、前記第二の設定となっている被検者画像を、外部の装置に出力することを特徴とする請求項１または２に記載の情報処理装置。
【請求項４】
前記出力手段は、前記第一または第二の設定である被検者画像を画像管理装置に出力することを特徴とする請求項１乃至３のいずれか１項に記載の情報処理装置。
【請求項５】
前記第一の設定である被検者画像は、前記画像管理装置が電子カルテ情報を管理する装置に出力することを特徴とする請求項４に記載の情報処理装置。
【請求項６】
前記表示制御手段は、前記第一の設定となっている被検者画像に基づく画像を、該第一の設定となっていることを示す表示形態で表示させることを特徴とする請求項１乃至５のいずれか１項に記載の情報処理装置。
【請求項７】
前記表示制御手段は、前記第二の設定となっている被検者画像に基づく画像を、該第二の設定となっていることを示す表示形態で表示させることを特徴とする請求項１乃至６のいずれか１項に記載の情報処理装置。
【請求項８】
前記表示制御手段は、前記未設定となっている被検者画像に基づく画像を、未設定となっていることを示す表示形態で表示させることを特徴とする請求項１乃至７のいずれか１項に記載の情報処理装置。
【請求項９】
被検者を撮影する撮影手段と、
被検者の識別情報を取得する情報取得手段と、
前記情報取得手段により識別情報が取得された状態で、前記撮影手段により被検者を撮影して得られる被検者画像を取得する画像取得手段と、
前記画像取得手段による被検者画像の取得に応じて、該被検者画像と前記情報取得手段により取得された識別情報とを関連付けて記憶部に記憶させる記憶制御手段と、
前記被検者画像に基づく画像を表示部に表示させる表示制御手段と、
前記画像取得手段による被検者画像の取得に応じて、前記被検者画像を前記被検者の電子カルテ情報として登録する第一の設定とし、該第一の設定となっている前記被検者画像に基づく画像であって前記表示部に表示された画像に対する操作入力に応じて、前記被検者画像を前記被検者の電子カルテ情報として登録しない第二の設定とする設定手段と、
前記第一または第二の設定である被検者画像を外部に出力する出力手段と、
を有することを特徴とする情報処理システム。
【請求項１０】
被検者の識別情報を取得する情報取得手段と、
撮影装置で前記被検者を撮影して得られる被検者画像を該撮影装置から受信する受信手段と、
該被検者画像と、前記情報取得手段により取得された識別情報と関連付けて記憶部に記憶させる記憶制御手段と、
前記被検者画像に基づく画像を表示部に表示させる表示制御手段と、
前記受信手段による被検者画像の受信に応じて、該被検者画像を未設定または前記被検者の電子カルテ情報として登録しない第二の設定のいずれかの設定とし、該設定とされた該被検者画像に基づく画像であって前記表示部に表示された画像に対する操作入力に応じて該被検者画像を前記被検者の電子カルテ情報として登録する第一の設定とする設定手段と、
前記第一または第二の設定である被検者画像を外部に出力する出力手段と、
を有することを特徴とする情報処理システム。
【請求項１１】
被検者の識別情報を取得する情報取得手段と、
被検者を撮影して得られる被検者画像を取得する画像取得手段と、
前記画像取得手段による被検者画像の取得に応じて、該被検者画像と前記情報取得手段により取得された識別情報とを関連付けて記憶部に記憶させる記憶制御手段と、
前記被検者画像に基づく画像を表示部に表示させる表示制御手段とを有した情報処理装置が行う情報処理方法であって、
前記被検者画像の取得に応じて、前記被検者画像を前記被検者の電子カルテ情報として登録する第一の設定とし、該第一の設定となっている前記被検者画像に基づく画像であって前記表示部に表示された画像に対する操作入力に応じて、前記被検者画像を前記被検者の電子カルテ情報として登録しない第二の設定とするステップと、
前記第一または第二の設定である被検者画像を外部に出力するステップと、
を有することを特徴とする情報処理方法。
【請求項１２】
被検者の識別情報を取得する情報取得手段と、
前記被検者を撮影して得られる被検者画像を取得する画像取得手段と、
該被検者画像と、前記識別情報と関連付けて記憶部に記憶させる記憶制御手段と、
前記被検者画像に基づく画像を表示部に表示させる表示制御手段とを有した情報処理装置が行う情報処理方法であって、
前記被検者画像の受信に応じて、該被検者画像を未設定または前記被検者の電子カルテ情報として登録しない第二の設定のいずれかの設定とし、該設定とされた該被検者画像に基づく画像であって前記表示部に表示された画像に対する操作入力に応じて該被検者画像を前記被検者の電子カルテ情報として登録する第一の設定とするステップと、
前記第一または第二の設定である被検者画像を外部に出力するステップと、
を有することを特徴とする情報処理方法。
【請求項１３】
請求項１１及び１２のいずれか１項に記載の情報処理方法をコンピュータに実行させるためのプログラム。
【発明の詳細な説明】
【技術分野】
【０００１】
本明細書の開示は、いわゆるデジタルカメラで得られる画像を管理する情報処理装置、情報処理システム、画像管理装置、画像管理システム、情報処理方法、及びプログラムに関する。
【背景技術】
【０００２】
可視光を受光するカメラ、いわゆるデジタルカメラで被検者の傷口や褥瘡等を撮影して得られる画像が、経過観察や被検者の容体の把握に用いられている。
【先行技術文献】
【特許文献】
【０００３】
【特許文献１】特開２０１３−２３５５６０号公報
【発明の概要】
【発明が解決しようとする課題】
【０００４】
いわゆるデジタルカメラで撮影された被検者の画像は被検者の病状等を記録するために用いられるため電子カルテへの登録が望ましい。しかしながら大量の画像が撮影された場合、そのすべてを電子カルテに登録すると不要な情報が多く含まれてしまうという問題があった。一方で撮影された画像がデジタルカメラ内に未出力のまま残っていると、撮影後しばらくしてから医師が被検者の詳細な情報を得ようとしても、かかる画像の取得や活用に手間がかかるという問題があった。
【課題を解決するための手段】
【０００５】
そこで本発明の実施形態の１つに係る情報処理装置は、携帯型の情報処理装置であって、被検者を撮影する撮影手段と、被検者の識別情報を取得する情報取得手段と、前記情報取得手段により識別情報が取得された状態で、前記撮影手段により被検者を撮影して得られる被検者画像を取得する画像取得手段と、前記画像取得手段による被検者画像の取得に応じて、該被検者画像と前記情報取得手段により取得された識別情報とを関連付けて記憶部に記憶させる記憶制御手段と、前記被検者画像に基づく画像を表示部に表示させる表示制御手段と、前記画像取得手段による被検者画像の取得に応じて、前記被検者画像を前記被検者の電子カルテ情報として登録する第一の設定とし、該第一の設定となっている前記被検者画像に基づく画像であって前記表示部に表示された画像に対する操作入力に応じて、前記被検者画像を前記被検者の電子カルテ情報として登録しない第二の設定とする設定手段と、前記第一または第二の設定である被検者画像を外部に出力する出力手段と、を有することを特徴とする。
【発明の効果】
【０００６】
本発明の実施形態の１つに係る情報処理装置によれば、電子カルテへの登録／非登録の設定をすることができる。
特に、撮影手段と電子カルテへの登録／非登録を設定する手段が一体となった携帯型の情報処理装置では、大量の画像の撮影は行われないのが通常である。そこで撮影された画像は、基本電子カルテに登録される設定としつつ、操作入力によりかかる設定を解除できることとし、操作入力の手間を軽減し医療現場における使い勝手を向上させることができる。
【図面の簡単な説明】
【０００７】
【図１】本発明の実施形態に係る医療支援システムを説明するためのブロック図である。
【図２】本発明の実施形態に係る医療支援の処理の流れを示すフローチャートである。
【図３】実施形態に係る医療支援システムで用いられる撮影装置の例を示す図である。
【図４】実施形態に係る撮影装置で用いられる画像とその付帯情報を示す図である。
【図５】実施形態に係る携帯型画像登録装置の表示部に表示される表示画面を示す図である。
【図６】携帯型画像登録装置における新着画像の通知処理の流れを示すフローチャートである。
【図７】携帯型画像登録装置の表示画面の一部を拡大した図である。
【図８】携帯型画像登録装置の表示画面で表示対象とする画像の撮影装置を切り替える処理の流れを示すフローチャートである。
【図９】携帯型画像登録装置の表示画面のその他の一部を拡大した図である。
【図１０】実施形態に係る携帯型画像登録装置の表示部に表示される表示画面のその他の例を示す図である。
【図１１】携帯型画像登録装置の表示画面における表示の遷移を示す図である。
【図１２】電子カルテ情報を管理する装置で表示される表示画面を示す図である。
【図１３】画像ビューア装置で表示される表示画面を示す図である。
【図１４】画像ビューア装置で表示される表示画面のその他の例を示す図である。
【図１５】実施形態に係る、撮影部を有する携帯型の情報処理装置（携帯端末装置）の処理の流れを示すフローチャートである。
【図１６】携帯端末装置のログイン画面の例を示す図である。
【図１７】携帯端末装置の受診者ＩＤの入力画面の例を示す図である。
【図１８】携帯端末装置の受診者情報の表示画面の例を示す図である。
【図１９】携帯端末装置の撮影画面の例を示す図である。
【図２０】携帯端末装置の画像を一覧表示する画面の例を示す図である。
【図２１】携帯端末装置の画像に対する処理の流れを示すフローチャートである。
【図２２】携帯端末装置の画像を操作する画面の例を示す図である。
【発明を実施するための形態】
【０００８】
本発明の実施形態に係る医療支援システムは、図１に示されるように電子カルテ情報を管理する装置１０１と、複数の撮影装置１０２−１〜１０２−Ｎと、撮影された画像の表示部を有する携帯型画像登録装置１０３と、画像ビューワ装置１０４とのそれぞれが、画像管理サーバ１０５と通信ネットワーク１０６で通信可能に接続される。
【０００９】
複数の撮影装置１０２−１〜１０２−Ｎと、携帯型画像登録装置１０３が、実施形態に係る情報処理装置の例である。
【００１０】
実施形態の１つに係る情報処理装置は、例えば撮影装置１０２−１であって、撮影及び当該撮影された画像と被検者の識別情報との関連付けを行う携帯型の情報処理装置である。例えば、いわゆるスマートフォンと当該スマートフォン上で実行されるソフトウェアアプリケーションにより実施形態に係る処理が実現される。
【００１１】
その他の実施形態に係る情報処理装置は、例えば携帯型画像登録装置１０３であって、撮影装置１０２で撮影される被検者画像を受信するとともに、当該被検者画像と被検者の識別情報との関連付けを行う情報処理装置である。例えば、いわゆるパーソナルコンピュータと当該パーソナルコンピュータ上で実行されるソフトウェアアプリケーションにより実施形態に係る処理が実現される。
【００１２】
以下、（１）実施形態の１つに係る携帯型の情報処理装置の例である撮影装置１０２−１の概要、（２）実施形態の１つに係る情報処理装置の例である携帯型画像登録装置１０３の概要、（３）撮影装置１０２−１あるいは携帯型画像登録装置１０３とともに用いられる画像管理サーバ１０５の概要、（４）携帯型画像登録装置１０３による実施形態の詳細説明（図２乃至１４）、（５）撮影装置１０２−１による実施形態の詳細説明（図１５乃至２２）、の順で説明する。
【００１３】
＜（１）撮影装置１０２−１の概要＞
実施形態に係る情報処理装置の例である撮影装置１０２−１は、撮影された被検者画像をについて、電子カルテ情報に登録するか否かの設定が可能な情報処理装置である。かかる撮影装置１０２−１は、カメラと、情報取得部と、画像取得部と、記憶制御部と、表示制御部と、設定部と、出力部とを有する。この他、撮影装置１０２−１は、表示部と、メモリと、無線通信モジュールと、撮影装置１０２−１の動作を統合的に制御するＣＰＵとを有する。なお、情報取得部と、画像取得部と、記憶制御部と、表示制御部と、設定部は、ソフトウェアプログラムにより実現することとしてもよい。この場合、撮影装置１０２−１はさらにＲＡＭを有する。メモリに記憶された該ソフトウェアプログラムがＲＡＭに展開され、ソフトウェアプログラムに含まれる命令がＣＰＵで逐次実行される。これにより、ＣＰＵはカメラ、表示部、メモリ、無線通信モジュールを制御し、上述の各部に対応する機能が実現され、本発明の実施形態に係る処理が実行されることとなる。
【００１４】
カメラは、被検者を撮影するものであり、可視光を検出して電気信号に変換するイメージセンサアレイと、イメージセンサアレイで得られる電気信号に基づいて被検者画像のデジタルデータを得る電気回路とを有する。
【００１５】
情報取得部は、被検者の識別情報を取得する。例えば当該カメラにより被検者の腕に巻かれたリストバンドに付与されたバーコードを撮影して得られる画像から、当該バーコードを解析して数値情報に変換し、当該数値情報を外部のサーバに送信する。当該外部のサーバでは、当該数値情報に対応する被検者の識別情報他の被検者情報を当該撮影装置１０２−１に送信する。情報取得部はかかる被検者情報を当該外部のサーバから受信することにより、被検者の識別情報を取得する。
【００１６】
画像取得部は、情報取得部により識別情報が取得された状態で、カメラにより被検者を撮影して得られる被検者画像を取得する。例えば、識別情報が取得されることに応じて表示されるボタンを押下することに応じてカメラのシャッタが切られ、カメラの電気回路から出力される被検者画像のデジタルデータが画像取得部により取得される。
【００１７】
記憶制御部は、画像取得部による被検者画像の取得に応じて、被検者画像と当該被検者の識別情報とを関連付けて撮影装置１０２−１内の記憶部に記憶させる。ここで関連付けの処理は、当該識別情報に被検者画像のＩＤ情報を含めるか、当該被検者画像のヘッダに当該識別情報自体あるいは当該識別情報のＩＤを含めて撮影装置１０２−１のメモリに記憶させる処理を指す。なおこの他の方法による処理であってもよく、要は一方の情報から他方の情報が参照可能な状態とすればよい。もちろん、相互の参照が可能としてもよい。
【００１８】
表示制御部は、当該被検者画像に基づく画像を撮影装置１０２−１の表示部に表示させる。当該表示部に表示される画像は、被検者画像そのものであってもよいが、撮影装置１０２−１の表示部の大きさに合わせて生成したサムネイル等の縮小画像であってもよいし、被検者画像の部分領域を抽出して得られる画像であってもよい。
【００１９】
撮影装置１０２−１はさらに、画像取得部による被検者画像の取得に応じて、被検者画像を被検者の電子カルテ情報として登録する第一の設定とする設定部を有する。当該設定部は、該第一の設定となっている前記被検者画像に基づく画像であって前記表示部に表示された画像に対する操作入力に応じて、前記被検者画像を前記被検者の電子カルテ情報として登録しない第二の設定とする。第一の設定、第二の設定は被検者画像に関連付けられる付帯情報によって定義される。例えば当該付帯情報は、設定情報を示すＩｎｔｅｇｅｒ型の変数である。当該変数が第一の設定を示す１となっている場合には、被検者画像は電子カルテに登録する第一の設定であり、当該変数が第二の設定を示す２となっている場合には、被検者画像は電子カルテに登録しない第二の設定であると解釈される。設定部は、カメラにより撮影され被検者画像が取得されることに応じて、当該設定情報を第一の設定とする。つまり、デフォルトでは電子カルテに登録される設定となる。かかる設定情報を第二の設定に切り替えるには、特定の操作入力を要することとする。
【００２０】
別の観点から言えば、撮影装置１０２−１では、撮影された画像は、基本電子カルテに登録される設定とされつつ、操作入力によりかかる設定を解除可能となっている。このようにすることで被検者の撮影に関する操作入力の手間を軽減し医療現場における撮影装置の使い勝手を向上させることができる。特に、カメラと電子カルテへの登録／非登録を設定する設定部とが一体となった携帯型の装置では、大量の画像の撮影は行われないのが通常であるため、デフォルトで電子カルテに登録される設定とすれば、操作の手間を減らすことができる。
【００２１】
出力部は、第一または第二の設定である被検者画像を例えば無線通信モジュールを通じて外部に出力する。実施形態の１つでは、出力部は第一の設定である被検者画像を、電子カルテ情報を管理する装置１０１に送信し、第二の設定である被検者画像を、画像管理サーバ１０５（画像管理装置）あるいは通信ネットワーク１０６上の、その他の記憶装置に送信する。このようにすることで、必要な被検者画像のみ、電子カルテに登録することができる一方、その他の被検者画像も通信ネットワーク１０６を介してアクセス可能な装置に保存されることとなり、被検者画像を利用しやすくすることができる。
【００２２】
別の実施形態では、出力部は、設定に関わらず全ての被検者画像を画像管理サーバ１０５に出力し、当該画像管理サーバ１０５が第一の設定である被検者画像のみ電子カルテ情報を管理する装置１０１に送信する。この際、画像管理サーバ１０５は、第二の設定である被検者画像の電子カルテ情報を管理する装置１０１への送信は制限する。このようにすることで、撮影装置１０２−１で撮影された被検者画像を画像管理サーバ１０５で一元的に管理することができる。
【００２３】
＜（２）携帯型画像登録装置１０３の概要＞
実施形態に係る情報処理装置の例である、携帯型画像登録装置１０３の概要を説明する。携帯型画像登録装置１０３は、上述した撮影装置１０２−１と比較して、カメラ、及び画像取得部を有していない代わりに、撮影装置１０２から被検者画像を受信する受信部を有する。また、設定部の機能が上述した撮影装置１０２−１と異なっている。
【００２４】
携帯型画像登録装置１０３の受信部は撮影装置１０２で前記被検者を撮影して得られる被検者画像を撮影装置１０２から受信する。ここで撮影装置１０２は例えば無線通信モジュールを備える一眼レフ等のデジタルカメラである。携帯型画像登録装置１０３の記憶制御部は、前記受信部により受信された被検者画像と、被検者の識別情報とを関連付けてメモリに記憶させる。
【００２５】
携帯型画像登録装置１０３の設定部は、デフォルトの設定を第一の設定とはせず、未設定とする。そして、操作入力が繰り返されるたび、被検者画像の設定状態を第一の設定、第二の設定、未設定、・・・の順で切り替える。
【００２６】
設定部は、受信部による被検者画像の取得に応じて、当該被検者画像を未設定の状態とする。当該被検者画像に基づく画像は表示制御部により表示部に表示される。この状態で、当該表示部に表示された画像に対する操作入力に応じて、該被検者画像を前記被検者の電子カルテ情報として登録する第一の設定とする。さらにこの状態で、前記表示部に表示された画像に対する操作入力に応じて該被検者画像を前記被検者の電子カルテ情報として登録しない第二の設定とする。携帯型画像登録装置１０３を用いる場合、撮影装置１０２は撮影機能に特化したカメラであることが想定されうる。かかるカメラでは、撮影機能の利用し易さも手伝って、１被検者について多くの被検者画像が取得される可能性がある。このまま全ての被検者画像が電子カルテに登録されるとすると、データ増加に伴い確認が面倒になり、また管理が煩雑になるという問題がある。そこで、携帯型画像登録装置１０３を用いる場合には、撮影装置１０２から受信された被検者画像はデフォルトで未設定の状態とされる。この中から操作入力に応じて電子カルテに登録される被検者画像が選択されることとなる。そして、電子カルテに登録される設定、つまり第一の設定がされた被検者画像について、さらに操作入力がされると、当該被検者画像はさらに第二の設定がされ、電子カルテへの登録が行われないこととなる。
【００２７】
ここで別の実施形態では、デフォルトで第二の設定とし、操作入力に応じて第一の設定とすることとしてもよい。
【００２８】
＜（３）画像管理サーバ１０５の概要＞
撮影装置１０２−１または携帯型画像登録装置１０３と共に用いられる画像管理サーバ１０５は、被検者画像の受信部と、電子カルテへの登録是非を判定する判定部と、当該被検者画像を出力する出力部と、当該出力部による出力を制御する出力制御部とを有する。画像管理サーバ１０５は、被検者画像その他の情報を記憶するメモリと、通信ネットワーク１０６を利用した通信を行う通信モジュールと、当該メモリの入出力制御と、通信モジュールによる通信制御その他の制御を統合的に行うＣＰＵと、ＲＡＭとを有する。例えば受信部と出力部は通信モジュールにより実現される。判定部と、出力制御部は、ＣＰＵと、メモリに記憶されたソフトウェアプログラムにより実現される。当該ソフトウェアプログラムは、ＲＡＭに展開され、ＣＰＵにより逐次実行されることにより実施形態に係る処理が実現されることとなる。
【００２９】
受信部は、撮影装置１０２−１または携帯型画像登録装置１０３から被検者画像を受信する。判定部は、当該受信部により被検者画像が受信されることに応じて、該被検者画像を当該被検者の電子カルテ情報として登録するか否かを判定する。当該判定は例えば、当該被検者画像に関連付けられた付帯情報に基づいて行う。
【００３０】
出力制御部は、受信部により被検者画像が受信されることに応じて、判定部により当該被検者の電子カルテ情報として登録すると判定された被検者画像を、出力部により当該電子カルテ情報を管理する装置１０１に出力させる。そしてさらに、出力制御部は、判定部により当該被検者の電子カルテ情報として登録すると判定されていない被検者画像の、当該装置への出力を制限する。
【００３１】
このようにすることで、画像管理サーバ１０５は、撮影装置１０２−１または携帯型画像登録装置１０３から送信される被検者画像の付帯情報に基づいて、電子カルテ情報を管理する装置１０１に当該被検者画像を送信すべきか否かを判定することができる。
【００３２】
＜（４）携帯型画像登録装置１０３による実施形態の詳細説明＞
ここで、実施形態に係る医療支援システムの処理の流れを図２のフローチャートを参照しながら説明する。説明する。なお、以下、被検者の電子カルテ情報として登録する第一の設定がされた被検者画像を「公開」される被検者画像、あるいは「公開画像」と呼称することがある。また、被検者の電子カルテ情報として登録しない第二の設定がされた被検者画像を「準公開」される被検者画像、あるいは「準公開画像」と呼称することがある。またｔ第一の設定を、電子カルテに登録される、という意味での「公開」、第二の設定を、電子カルテには登録されないが画像管理サーバ１０５には保存され閲覧が可能な状態となる、という意味での「準公開」と呼称することがある。
【００３３】
撮影者は撮影装置１０２により受診者（被検者）について静止画、動画等複数の画像撮影を行う（ステップＳ２０１）。
【００３４】
撮影装置により撮影した受診者（被検者）の画像は、自動的に撮影の度に画像ファイルとして撮影装置１０２に具備された通信モジュールにより、携帯型画像登録装置１０３に送信される（ステップＳ２０２）。撮影装置１０２と通信モジュールの例は、例えば図３に示される、一眼レフ型のデジタルカメラ３０１と、当該デジタルカメラ３０１に接続されるＷＦＴ装置３０２である。ＷＦＴ装置３０２は、例えばＵＳＢによりデジタルカメラ３０１と接続され、無線ＬＡＮを用いて被検者画像を外部の装置に送信する。送信される被検者画像の画像ファイルの例示は、図４に示される。撮影装置１０２は、受診者（被検者）一人について１枚または複数の画像を送信する。受診者（被検者）の検査データとして、画像４０１と、画像の付帯情報４０２がある。画像４０１には、受診者を撮影した少なくとも１つの映像データを含み、映像の形式としては静止画や動画がある。静止画の場合、画像は例えばＪＰＥＧファイルの形式で、動画はＭＰ４ファイルの形式を記憶、送信される。画像の付帯情報４０２は、画像４０１の属性情報や検査に関する情報を含むものであり、画像の識別情報、画像の枚数、公開、準公開の指定（公開状態を示す設定情報）、サイズ、フォーマット、撮影日時、撮影場所、撮影者情報、画像管理サーバ１０５への登録日時、コメント、受診者ＩＤ、受診者の氏名・性別・生年月日等の情報、検査項目、検査項目（一般・手術・褥瘡・その他）、検査日時、検査コメントなどがある。画像の属性情報は、複数の画像がある場合には、画像毎に設定される。これら画像の付帯情報４０２は、ＸＭＬファイル形式で格納される。
【００３５】
携帯型画像登録装置１０３では、受信した撮影された複数の画像が表示される。図５は携帯型画像登録装置１０３の表示画面を示す図である。かかる表示画面は、携帯型画像登録装置１０３（情報処理装置）の表示制御部により実現される。表示画面には、撮影装置領域５０１、サムネイル領域５０２、プレビュー領域５０６、公開設定領域５０７、ＩＤ入力領域５０８、検索ボタン５０９、受診者領域５１０、検査項目入力領域５１１、日時設定領域５１２、日時入力領域５１３、コメント領域５１４、登録ボタン５１５、新着通知領域５１６、回転ボタン５１７、廃棄ボタン５１８がある。
【００３６】
サムネイル領域５０２には、５０１で指定された撮影装置において撮影された複数の画像のサムネイルが表示される。図５に示す例では、サムネイル領域５０２には、デジタルカメラ３０１から受信した撮影された３枚の被検者画像に対応する被検者画像のサムネイル５０３、５０４、５０５が表示されている。これらサムネイル５０３乃至５０５は、夫々対応する被検者画像の縮小画像として例えば画像取得部により生成される。
【００３７】
撮影装置領域５０１には、撮影装置１０２として「ＥＯＳ７Ｄ」で撮像された画像であることを示す。実施形態では撮影装置領域５０１をクリックあるいはタッチすることによりドロップダウンリストが表示される。他の撮影装置がシステムにある場合、当該他の撮影装置の１つを選択することによって、別の撮影装置から受信した画像をそれぞれ確認することができる。
【００３８】
サムネイル５０３、サムネイル５０４、サムネイル５０５はそれぞれ、撮影が古いものから３枚左側から順に、手の画像、脚の画像、脚の動画像が携帯型画像登録装置１０３へと順に送信されてきたことを示す。
【００３９】
サムネイルに対応する被検者画像が動画像である場合には、動画像を示すマークが表示される。図５に示す例では、サムネイル５０５には動画像に対応するマー玖珂表示されている。
【００４０】
図７に示されるように、公開または準公開を指定された画像７０１のサムネイル上にマウスオーバーをすると、サムネイル上に拡大プレビュー領域７０２が表示され、拡大プレビュー領域７０２内を拡大した画像が７０３（５０６）のプレビュー領域に表示される。
【００４１】
公開設定領域５０７には、携帯型画像登録装置１０３にて、サムネイル領域５０２の被検者画像それぞれについて公開、準公開の設定を行った場合に、公開画像、準公開画像として設定した枚数を表示する領域である。
【００４２】
ＩＤ入力領域５０８は受診者ＩＤが入力される領域である。検索ボタン５０９は、ＩＤ入力領域５０８に入力されたＩＤでの検索の開始を指示するボタンである。携帯型画像登録装置１０３より、電子カルテ情報を管理する装置１０１に当該ＩＤを送信して問い合わせを行い、電子カルテ情報を管理する装置１０１に当該ＩＤが存在する場合、電子カルテ情報を管理する装置１０１は当該ＩＤに対応する受診者情報を返す。当該受信者情報には、受診者（被検者）の識別情報を含む、受診者の各種上方が含まれる。
【００４３】
受診者領域５１０には検索を行った受診者ＩＤに対応する受診者情報が表示される。
【００４４】
検査項目入力領域５１１をクリックまたはタッチすると、検査データの検査項目の一覧リストが表示される。複数の被検者画像を検査データとして登録する場合、「一般」「手術」「褥瘡」「その他」のいずれかの検査項目がユーザからの操作入力に応じて選択される。
日時設定領域５１２をクリックまたはタッチすると、「日時を指定する」及び「デジタルカメラの撮影日時を使用する」という選択肢が表示される。
【００４５】
日時設定領域５１２に対する操作入力で「日時を指定する」が選択された場合、日時入力領域５１３には年月日時刻が表示される。日時設定領域５１２に対する操作入力で「デジタルカメラの撮影日時を使用する」が選択された場合、被検者画像の中で最も撮影日時が古いもの、つまりサムネイル領域５０２の一番左上に表示されるサムネイルに対応する被検者画像が撮影された日時が表示される。
【００４６】
コメント領域５１４には複数の被検者画像を検査データとして登録する際に、コメントを付すことができる。
【００４７】
登録ボタン５１５が押下されることに応じて、複数の被検者画像と、当該被検者画像の付帯情報を受診者の一単位の検査データとして画像管理サーバ１０５に送信する。
【００４８】
新着通知領域５１６は、撮影装置１０２から被検者画像が送信されたことを通知する新着表示のアイコンである。撮影装置１０２から被検者画像が携帯型画像登録装置１０３に送信された場合、アイコンが新着を知らせる形状に変化して新着を知らせる。
【００４９】
ステップＳ２０３において、撮影装置領域５０１に表示された撮影装置とは異なる撮影装置で撮影された被検者画像がある場合についてのフローについて、図６を用いて説明する。ステップＳ６０１で携帯型画像登録装置１０３は、他の撮影装置で撮影された画像があるか否かを判定する。かかる判定は例えば、撮影装置から受信され、かつ未だサムネイル領域５０２に表示されていない被検者画像があるか否かにより判定することができる。
【００５０】
他の撮影装置で撮影された被検者があると判定された場合、図９のように新着通知領域５１６の表示が図５より変化し、他の撮影装置より撮影された画像があることをユーザに示す。（ステップＳ６０２）。
【００５１】
ステップＳ２０３において、他の撮影装置で撮影された画像がある場合に、携帯型画像登録装置１０３で表示されている他の撮影装置で撮影されている画像に切り替えるフローについて、図８を用いて説明する。
【００５２】
サムネイル領域５０２には、受信された被検者画像のサムネイルが表示された状態であるとする（Ｓ８０９）。この状況で、例えば携帯型画像登録装置１０３は、図９において撮影装置領域９０１をクリックまたはタッチがされたか否かを判定する（Ｓ８０１）。撮影装置領域９０１をクリックまたはタッチがされたと判定された場合、他の撮影装置で撮影された画像の枚数を示す情報が撮影装置の情報とともにリスト９０２として表示される（ステップＳ８０２）。携帯型画像登録装置１０３は、例えばユーザからの操作入力に応じて、表示されたリストから撮影装置を選択する（ステップＳ８０３）。
【００５３】
図１０に図示されるように他の撮影装置から送信された画像表示に切り替わる（ステップＳ８０３）。本実施例の例示では撮影装置は「ＥＯＳＫＩＳＳ」に切り替わり（１００１）、ＥＯＳＫＩＳＳより送信された画像２枚（１００２、１００３）、動画像２枚（１００３，１００４）のサムネイルが表示されている。
【００５４】
このように他の撮影装置から携帯型画像登録装置１０３に送信された複数の画像を、複数の撮影装置の一つを選択することによって、撮影装置毎に表示することができる。
【００５５】
携帯型画像登録装置１０３の情報取得部は、ＩＤ入力領域５０８により入力された受診者ＩＤを取得する。かかる状態で検索ボタン５０９が押下されることに応じて、携帯型画像登録装置１０３は受診者ＩＤに紐づく受診者の情報を電子カルテから受信する。表示制御部は、当該受診者の情報を受診者領域５１０に表示させる（Ｓ２０４）。
【００５６】
携帯型画像登録装置１０３は、回転ボタン５１７が押下されることに応じて携帯型画像登録装置内の被検者画像を回転する。また廃棄ボタン５１８が押下されることに応じて、受診者ＩＤに紐づけて登録する前の被検者画像を本医療支援システムより削除できる。
【００５７】
携帯型画像登録装置１０３では、選択された撮影装置の画像について、撮影装置毎に送信されてきた複数の画像の公開、準公開をそれぞれ設定する。
【００５８】
本実施例では、最初の状態では公開設定が未設定の状態となっており、被検者画像のサムネイルをクリックまたはタッチすることに応じて、設定部は当該被検者画像を公開画像として設定する。この際表示制御部は、当該サムネイルを第一の設定（公開設定）となっていることを示す表示形態で表示させる。図１１に示す例では、当該サムネイルに公開マーク１１０１が重畳表示される。公開マーク１１０１はサムネイルの枠外に表示されても良い。
【００５９】
この状態で被検者画像のサムネイルを更にクリックまたはタッチすることに応じて、設定部は当該被検者画像を準公開画像として設定する。この際表示制御部は、当該サムネイルを第二の設定（準公開設定）となっていることを示す表示形態で表示させる。図１１に示す例では、当該サムネイルに準公開マーク１１０２（１１０２）が重畳表示される。
【００６０】
被検者画像のサムネイルを更にクリックまたはタッチすることに応じて、設定部は当該被検者画像を公開設定が未設定とするとして設定する。この際表示制御部は、当該サムネイルを、未設定となっていることを示す表示形態で表示させる。図１１に示す例では、当該サムネイルに公開マーク１１０１や準公開マーク１１０２が表示されない状態とする（ステップＳ２０５）。
【００６１】
携帯型画像登録装置１０３では、登録ボタン５１５が押下されることに応じて、公開設定あるいは準公開設定された被検者画像について、複数の被検者画像と、画像の付帯情報とを受診者の一単位の検査データとして画像管理サーバ１０５に送信する。送信される被検者画像は公開または準公開の設定がされた画像であり、画像の付帯情報は図４に例示されるデータである（ステップＳ２０６）。
【００６２】
なお登録時には、検査項目入力領域５１１で入力される検査項目（たとえば手術、褥瘡、一般その他の区別）、日時設定領域５１２、日時入力領域５１３で入力される日時が指定される。またコメント領域５１４に入力されるコメント、検査データ単位にコメントを付すことができる。コメントは、例えば撮影が患部に近接しており、部位の判別がしにくい場合に検査部位の説明等を付すために使用される。
【００６３】
画像管理サーバ１０５は、例えば図４に例示される複数の被検者画像と付帯情報とを関連付けて、関連付けた複数の画像と付帯情報とを受診者についての一単位の検査データとして画像管理サーバ１０５のメモリに格納する（ステップＳ２０７）。
【００６４】
画像管理サーバ１０５は検査データのサマリ、例えば検査データをユニークに識別可能なスタディＩＤと公開および準公開画像の枚数、公開設定された被検者画像のサムネイルを作成し、電子カルテに送信する（ステップＳ２０８）。
【００６５】
電子カルテ情報を管理する装置１０１は、図１２に示すように、受診者毎に画像管理サーバより送られた検査データのサマリ、およびサムネイルを表示する画像表示機能を有する。図１２に示す例では、画像表示機能ボタン１２０１には、２枚の公開画像と１枚の準公開画像があることを示している。ボタン１２０１を押下すると、表示領域１２０２に２枚の公開画像が表示されており、電子カルテ上では表示されない１枚の画像が準公開として、医療支援システムに登録されていることを示している（ステップＳ２０９）。
【００６６】
［準公開画像の表示］
例えば手術中の画像撮影において医師や補助の技師は撮影ミスや他の利用等を想定して様々な画角や露出等で大量の画像を撮影する。電子カルテへの登録においては、例えば３枚撮影された画像では、１乃至２枚程度の画像があれば十分である。そこで２枚の画像を公開画像として登録し、残りの１枚の画像は準公開で登録されたことを想定する。
【００６７】
電子カルテを操作する医師は、術中の画像であって電子カルテ上で公開または登録されていない画像を例えば学会発表の材料として利用したい場合がある。図１２の１２０１のように、電子カルテ上では表示されない１枚の画像が準公開として、医療支援システムに登録されていることを示している。ここで、医師は画像を確認するために、図１２の１２０３をクリックすることにより、画像ビューワ装置１０４を起動する。（ステップＳ２１０）
画像ビューワ装置１０４では、図１３に例示されるように、受診者の過去の検査データ一覧１３０１が表示される。
【００６８】
電子カルテ上で画像ビューワの起動を指定された検査データがハイライト表示され（１３０２）、当該の選択されている検査データに含まれる公開画像が２枚、準公開画像が１枚リスト表示される（１３０３）。
【００６９】
検査データに含まれる受診者データ等のうち、１３０４には受診者に関する情報や検査データに関する情報、画像個別に関する情報は１３０５に一覧表示される。
【００７０】
［画像の比較表示］
画像ビューワ装置１０４では、２つの画像を並列表示し、画像比較する機能を有する。
１３０６にて通常表示から比較表示ボタンに切り替え押下すると、ビューワ表示画面は図１４、１４０１に示すように、左右に２分割される。
【００７１】
左側１４０２領域を選択状態にして、検査データリストより、所望の画像を選ぶと、左側１４０２領域に画像が表示される。また、別途右側１４０３領域を選択状態にして、検査データリストより、別の所望の画像を選ぶと、左側１４０２、右側１４０３の領域で２つの画像の比較表示が実現する。
過去の検査データにおける画像との比較で経過観察等を行う場合に有用である。
【００７２】
＜（５）撮影装置１０２−１による実施形態の詳細説明＞
その他の実施形態では、撮影装置１０２−１は撮影された画像の表示部を有する画像登録装置の機能と画像ビューワ装置の機能とを具備する携帯端末装置である。
【００７３】
ここで、その他の実施形態に係る医療支援システムのフローについて、図１５を用いて説明する。
【００７４】
携帯端末装置（撮影装置１０２−１）では、図１６に示される表示画面が表示される。表示画面には、ユーザＩＤ入力領域１６０１と、パスワード入力領域１６０２と、ログインボタン１６０３と、が表示制御部により表示される。図１６に示す例では、ユーザＩＤ入力領域１６０１にユーザＩＤを入力し、パスワード入力領域１６０２にパスワード入力し、ログインボタン１６０３を押すことで携帯端末装置のユーザ認証を行い、携帯端末装置のメモリに記憶されたプログラムが起動される（ステップＳ１５０１）。これに応じて表示制御部は、図１７に示す、被検者の識別情報を取得するための画面を表示させる。
【００７５】
図１７に例示される。かかる画面では、識別情報の取得方式を設定する第一のアイコン１７０７と、第二のアイコン１７０２と、受診者ＩＤの入力をスキップするスキップボタン１７０５とが表示される。第一のアイコン１７０６に対するクリックまたはタッチによって、受診者ＩＤをユーザが手動で入力する第一の表示モードが実行される。第二のアイコン１７０２に対するクリックまたはタッチによって、被検者の手首に巻かれたリストバンドに付されたバーコード等を読み取るための第二の表示モードが実行される。
【００７６】
第一の表示モードでの表示では、受診者ＩＤを入力する受診者ＩＤ入力領域１７０１が表示され、ユーザはかかる領域を介して受診者ＩＤを入力することができる。情報取得部は、入力された情報を受診者（被検者）の識別情報として取得する。
【００７７】
第二の表示モードでの表示では、バーコード表示領域１７０４が表示される。バーコード表示領域１７０４には、撮影装置１０２−１のカメラで撮影された動画像がリアルタイムで表示される。被検者のバーコードがかかる領域に収まるように撮影装置１０２−１ト被検者との位置関係を適切に設定すると、情報取得部は当該バーコードに画像に基づいて識別情報を取得する（ステップＳ１５０２）。スキップボタン１７０５は、当該撮影装置１０２−１における携帯型画像登録装置１０３の機能を利用しない場合に用いるボタンであり、押下されることに応じて、通常の撮影装置として機能する。この場合、撮影された被検者画像は、外部の携帯型画像登録装置１０３に送信されることとなる。
【００７８】
情報取得部により受診者（被検者）のＩＤ情報（識別情報）が取得されることに応じて、表示制御部は、受診者の情報を表示するための画面を表示させる。
【００７９】
ＩＤ手入力またはバーコード読み取りにより受診者ＩＤを入力すれば、受診者ＩＤに紐づく受診者の情報が電子カルテから取得し、図１８に例示されるように受診者の情報１８０３が表示される。これにより正しい受診者かどうかの確認が可能である（ステップＳ１５０３）。
【００８０】
撮影開始ボタン１８０１を押下することにより、撮影モードとなり撮影を開始する。（ステップＳ１５０４）このとき、図１９に示される撮影のための画面が表示される。
【００８１】
撮影のための画面では、静止画撮影機能を起動するための静止画ボタン１９０１、動画撮影機能を起動するための動画ボタン１９０３、静止画撮影をトリガする為の撮影ボタン１９０２、動画撮影をトリガする為の撮影ボタン１９０４、撮影を終了するための終了ボタン１９０５が表示される。
【００８２】
図１９に示されるように、静止画ボタン１９０１が押下され、静止画モードが選択されている場合には、静止画撮影ボタン１９０２押下によって撮影部により静止画の撮影が行われる。動画ボタン１９０３が押下され、動画モードが選択されている場合には、動画撮影ボタン１９０４の押下のたびに動画撮影の実行、中止が切り替えられ、これにより所望の期間の動画が撮影される。かかる表示画面により、複数の静止画、動画を連続して撮影することができる。画像取得部は、撮影ボタンの押下に応じて撮影部を制御し、被検者画像を取得する。
【００８３】
終了ボタン１９０５が押下されることに応じて、撮影モードは終了する。表示制御部は撮影された画像をプレビューする為の画面を表示部に表示させる。かかる画面により、図２０に例示されるように撮影された複数の被検者画像のサムネイルをプレビューできる。
【００８４】
プレビューのための画面は例えば図２０に例示されるように、コメント入力領域２００１と、サムネイル領域２００４を含む。コメント入力領域２００１には、ユーザからの入力に応じてコメントが入力される。プレビュー画像を全て一つの検査データとして、検査データ単位にコメントを付すことができる。サムネイル領域２００４には、複数のサムネイルが表示される（ステップＳ１５０５）。
【００８５】
ここで設定部は、被検者画像の取得に応じて、当該被検者画像を被検者の電子カルテ情報として登録する第一の設定とする。つまり、被検者の画像が撮影された時点でデフォルトは「公開」設定となる。かかる公開設定の変更、当該第一の設定となっている被検者画像のサムネイルに対する操作入力は行われる。かかる操作入力に応じて、設定部は被検者画像を被検者の電子カルテ情報として登録しない第二の設定とする。
【００８６】
実施形態では、準公開の設定がされた被検者画像に対応するサムネイルのみ、第二の設定となっていることを示す表示形態で表示される。図２０に示す例では、準公開マーク２００２がサムネイルに重畳表示される。
【００８７】
一方で、第一の設定となっている被検者画像に対応するサムネイルは、第一の設定となっていることを示す表示形態で表示される。図２０に示す例では、第一の設定となっている被検者画像に対応するサムネイルには、準公開マーク２００２や、図１１に示す公開マーク１１０１は付されていない。
【００８８】
別の実施形態では、分かり易さを考慮して、第一の設定となっている被検者画像に対応するサムネイルに、第一の設定となっていることを示すマークを重畳表示させることとしてもよい。
【００８９】
以下詳細表示モードの処理のフローについて、図２１を用いて説明する。
【００９０】
ステップＳ２１００で、サムネイル領域２００４に表示されるサムネイルをクリックまたはタッチされたか否かを判定する。サムネイル領域２００４に表示されるサムネイルをクリックまたはタッチされたと判定された場合には、当該サムネイルに対応する被検者画像の詳細表示モードに移行する（ステップＳ２１０１）。
【００９１】
図２２に、詳細表示モードでの表示画面を示す。かかる表示画面では、画像領域２２０５と、公開状態の設定ボックス２２０１と、廃棄ボタン２２０３と、回転ボタン２２０４と、戻るボタン２２０２と、を有する。画像領域２２０５には、ステップＳ２１０１で操作入力を受けたサムネイルに対応する被検者画像が表示される。表示される画像は、被検者画像そのものでなくてもよく、被検者画像の縮小画像であってもよい。
【００９２】
ステップＳ２１０２で例えばＣＰＵは、設定ボックス２２０１に対する操作入力があったか否かを判定する。図２２に示す例では、設定ボックス２２０１はチェックボックスであり、チェックが入った状態とチェックが入っていない状態とを操作入力により切り替えられるようになっている。チェックを入れた場合は準公開、チェックを入れなければ公開の設定となる。
【００９３】
操作入力があったと判定された場合にはステップＳ２１０３で設定部が被検者画像に対する設定を切り替える。設定ボックス２２０１にチェックが入っていない状態で、チェックを入れる操作入力があった場合には、第一の設定から第二の設定に切り替える。チェックが入っている状態で、チェックを外す操作入力があった場合には、第二の設定から第一の設定に切り替える（ステップＳ２１０３）。
【００９４】
ステップＳ２１０４でＣＰＵは、回転ボタン２２０４が押下されたか否かを判定する。回転ボタン２２０４が押下されたと判定された場合には、ステップＳ２１０５でＣＰＵは被検者画像を９０度回転処理する。
【００９５】
ステップＳ２１０６でＣＰＵは、廃棄ボタン２２０３が押下されたか否かを判定する。廃棄ボタン２２０３が押下されたと判定された場合には、ステップＳ２１０７でＣＰＵは被検者画像を削除する。
【００９６】
ステップＳ２１０８でＣＰＵは詳細表示モードを終了する。
【００９７】
ステップＳ２１０９でＣＰＵは、戻るボタン２２０２が押下されたか否かを判定する。戻るボタン２２０２が押下されたと判定された場合には、ステップＳ２１０８に進み、表示制御部は図２０に示す表示画面の表示を終了し、図２０に示す表示画面を再度表示させる。
【００９８】
上述の処理により、準公開の設定を行った場合には、図２０の２００２のように、準公開指定がサムネイル上で明示される。詳細表示モードでは、被検者画像を携帯端末装置より削除することができる。また、被検者画像を回転することができる。
【００９９】
戻るボタン２２０２により、詳細モードを終了する（ステップＳ２１０２）。
【０１００】
図２０の登録ボタン２００３を押下すると、表示されている全ての複数の画像と、画像データを受診者の一つの検査データ単位として画像管理サーバに送信する。
【０１０１】
登録ボタンを押下後の動作フローは、上述の実施形態と同様である。
【０１０２】
別の実施形態では、ステップＳ１５０３において、図１８に示される画像ビューワ起動ボタン１８０２を押下した場合、受診者情報が示す受診者の検査データ一覧が可能な携帯端末上で画像ビューワが起動する。
【０１０３】
また別の実施形態では、図１７に示されるスキップボタン１７０５が押下された場合、受診者ＩＤを指定しない撮影装置と同様に動作するため、携帯型画像登録装置１０３に画像を送信する通常の撮影装置１０２として動作することとなる。複数の被検者画像を登録した後の動作フローは上述の実施形態と同様である。
【０１０４】
以上、上述の実施形態では、撮影装置１０２−１〜Ｎは、撮影した受診者の画像を携帯型画像登録装置１０３に送信する送信部を有する。また携帯型画像登録装置１０３が、撮影装置１０２−１〜Ｎによる被写体の受診者ＩＤ（識別情報）を取得する情報取得部と、撮影装置１０２−１〜Ｎにより撮影された画像の公開または準公開を設定する設定部を有する。そして、撮影装置１０２−１〜Ｎにより撮影された受診者の画像と、付帯情報とを画像管理サーバ１０５に出力する出力部を有する。
【０１０５】
画像管理サーバ１０５は、携帯型画像登録装置１０３より送信された、画像と付帯情報とを関連付けて受診者の検査データとして記憶するメモリを有する。また、受診者の検査データのサマリと受診者の検査データに含まれる画像のうち公開設定がされた画像あるいは当該画像のサムネイルを、電子カルテ情報を管理する装置１０１に送信する送信部を有する。
【０１０６】
電子カルテ情報を管理する装置１０１は、受診者の検査データのサマリと受診者の検査データに含まれる画像のうち公開設定がされた画像のサムネイルを表示部に表示させる表示制御部を有する。また、画像管理サーバ１０５から送信された受診者の検査データのサマリについて画像管理サーバ１０５を通して画像ビューワ装置１０４によって画像を表示させる画像ビューワ制御部を有する。
【０１０７】
なお携帯型画像登録装置１０３は、複数の撮影装置１０２−１〜Ｎのどの装置から画像が送信されたかを通知する通知部をさらに設けることとしてもよい。
【０１０８】
また、上述の携帯型画像登録装置１０３の機能と、撮影装置１０２の機能を合わせた携帯端末装置も本発明の実施形態に係る情報処理装置に含まれる。ここで、当該携帯端末装置の情報取得部は、バーコード読み取りまたはキーボード入力により受診者ＩＤ（被検者の識別情報）を取得する。
【０１０９】
医療現場において、医療従事者はデジタルカメラにより被検者の画像データを数多く撮影する場合がある。一方で電子カルテに臨床の観点から記録すべき画像は一部である。このとき、撮影してしばらく時間が経ってから数多くの画像データに対して、ユーザが手作業で電子カルテ上に記録する画像と、そうでない画像を選別し例えば別システムに格納するなどは作業効率や入力ミス等の観点から好ましくない。上述の実施形態によれば、ユーザが被検者の多くの画像を撮影した際にも、必要な画像のみ電子カルテに登録させつつ、残りの画像の利用性も担保することができる。
【０１１０】
その他の実施形態では、撮影装置１０２−１や携帯型画像登録装置１０３である情報処理装置において、設定部は、撮影された被検者画像の数に基づいてデフォルトの設定状態を異ならせることとしてもよい。例えば、ある被検者についてＮ枚の被検者画像が撮影された場合、Ｎと閾値Ｎｔを比較して、Ｎ≧Ｎｔとなっている場合には、設定部は、当該Ｎ枚の被検者画像をデフォルトで未設定あるいは第二の設定とする。またＮ＜Ｎｔとなっている場合には、設定部は、当該Ｎ枚の被検者画像を一律第一の設定とする。閾値Ｎｔは病院ごとあるいはシステムごとに、例えばユーザの操作入力に応じて適宜設定されることとしてもよい。このようにすることで、電子カルテに登録する被検者画像を設定する作業負担を軽減することができる。
【０１１１】
ここで、ある撮影装置１０２で、ある被検者について、１枚目、２枚目、３枚目、・・・と被検者画像が撮影されていく場合を考える。この場合、ある時点ｔ１での撮影枚数Ｎ（ｔ１）が閾値Ｎｔを超えない状態では、設定部はＮ（ｔ１）枚の被検者画像が撮影され、あるいは受信部により受信されることに応じて当該被検者画像を第一の設定とする。時刻が進み、撮影枚数Ｎ（ｔ）が初めて閾値Ｎｔを超えた場合に、設定部は、当該Ｎ（ｔ）枚の被検者画像を一律第二の設定あるいは未設定に変更する。以後、Ｎ（ｔ）＋１枚目以降の被検者画像は撮影或いは受信されることに応じて第二の設定あるいは未設定とする。このようにすることで、電子カルテに登録する被検者画像を設定する作業負担を軽減することができる。
【０１１２】
またここで、撮影装置による被検者画像の撮影と、電子カルテ情報を管理する装置１０１あるいは画像管理サーバ１０５への被検者画像の送信が平行して行われる場合が想定される。かかる場合には、電子カルテ情報を管理する装置１０１へ被検者画像が登録されるたびに、閾値Ｎｔの値を１ずつデクリメントすることにより、自動的に多くの被検者画像が電子カルテに登録されてしまわないようにすることができる。なお、この場合であっても、操作入力によって、閾値Ｎｔより多くの枚数の被検者画像を電子カルテに登録する第一の設定とすることは可能である。
【０１１３】
誤登録や、よりよい被検者画像が撮影できた場合に、電子カルテ情報を管理する装置１０１に一旦被検者画像が送信された後に、当該送信された被検者画像を別の被検者画像と差し替えたい場合が生じ得る。かかる状況に対応するため、出力部は、電子カルテに登録される被検者画像の差し替え命令、あるいは削除命令を出力することができる。差し替え命令または削除命令の出力の宛先は、出力部が電子カルテに直接被検者画像を送信する場合には、当該電子カルテ情報を管理する装置１０１である。一方、出力部が一旦画像管理サーバ１０５に被検者画像を送信する場合には、差し替え命令または削除命令の出力の宛先は、画像管理サーバ１０５である。画像管理サーバ１０５に差し替え命令または削除命令が出力される場合には、当該画像管理サーバ１０５が電子カルテ情報を管理する装置１０１に当該命令を送信する。いずれにしても、電子カルテ情報を管理する装置１０１は、差し替え命令または削除命令を受信した場合に、当該命令を実行する。
【０１１４】
ここで差し替え命令または削除命令には、差し替えられる対象あるいは削除対象の被検者画像を示す識別情報が含まれる。これにより、電子カルテ情報を管理する装置１０１は、差し替えられる対象あるいは削除対象の被検者画像を特定することができる。さらに、差し替え命令には、差し替え先の被検者画像の識別情報が含まれる。あるいは差し替え先の被検者画像が付帯されることとしてもよい。これにより、電子カルテ情報を管理する装置１０１は、差し替えられる対象の被検者画像をどの被検者画像に差し替えるべきか特定することができる。
【０１１５】
別の実施形態では、被検者画像が、電子カルテ情報を管理する装置１０１に画像管理サーバ１０５経由で送信される場合、一定時間電子カルテ情報を管理する装置１０１への被検者画像の送信を留保する。これにより、留保時間内に差し替え命令あるいは削除命令が発行されれば、電子カルテ情報を管理する装置１０１に誤った被検者画像が送信されることを減らすことができ、結果電子カルテへの誤登録を減らすことができる。
【０１１６】
画像管理サーバ１０５では、留保時間が設定される。ある被検者についての第一の設定である被検者画像が受信された場合に、計時用カウンタによるカウントを開始する。当該計時用カウンタにより当該設定された留保時間が経過したと判定されることに応じて、当該画像管理サーバ１０５は、当該被検者画像を、電子カルテ情報を管理する装置１０１に送信する。別の観点で言えば、画像管理サーバ１０５の出力制御部は、ある被検者について被検者画像を受信してから、当該留保時間が経過するまで、第一の設定である被検者画像の、電子カルテ情報を管理する装置１０１への送信を制限する。
【０１１７】
例えばかかる留保時間Ｔｓｕｓは、被検者毎に設定される。例として、画像管理サーバ１０５によりある被検者についての第一の被検者画像が第一の時刻Ｔｒに受信され、その後少なくとも１つの第二の被検者画像が受信された場合を想定する。この場合、当該第一の被検者画像、及び当該少なくとも１つの第二の被検者画像は、時刻（Ｔｒ＋Ｔｓｕｓ）、すなわち第一の時刻Ｔｒから留保時間Ｔｓｕｓだけ経過した時刻に出力部により出力される。また別の観点では、第一の時刻Ｔｒから留保時間Ｔｓｕｓが経過するまでは、第一の時刻Ｔｒに受信された第一の被検者画像、及びその後に受信された第二の被検者画像の出力が制限される。
【０１１８】
ここで、第一の時刻Ｔｒから留保時間Ｔｓｕｓが経過するまでの間に上述の第二の被検者画像が画像管理サーバ１０５に受信されない場合がある。かかる場合を考慮して、当該被検者についての撮影が完了したことを示す完了通知を、撮影装置１０２−１あるいは携帯型画像登録装置１０３の出力部が出力することとする。画像管理サーバ１０５は、第一の時刻Ｔｒから留保時間Ｔｓｕｓが経過した場合であっても、完了通知を受信していない場合には、画像管理サーバ１０５の出力部は当該第一及び第二の被検者画像の電子カルテ情報を管理する装置１０１への送信を制限する。
【０１１９】
かかる留保時間や、完了通知を設ける技術思想は、画像管理サーバ１０５のみならず、撮影装置１０２−１や携帯型画像登録装置１０３に適用することとしてもよい。この場合、撮影装置１０２−１は、被検者画像が受信あるいは取得され、第一の設定とされても、当該第一の設定とされた時刻Ｔｓ、あるいは当該被検者についての撮影が完了した時刻Ｔｆから留保時間Ｔｒｉが経過するまでは、当該被検者画像の出力を制限する。撮影の完了は、例えば図５の登録ボタン５１５や、図２０の登録ボタン２００３の押下に応じて、情報処理装置のＣＰＵが、撮影が完了したと判定すればよい。
【０１２０】
上述の実施形態における撮影装置１０２−１や携帯型画像登録装置１０３等の情報処理装置や、画像管理サーバ１０５は単体の装置であった。別の実施形態では複数の情報処理装置を含む情報処理システムまたは画像管理システムにより、当該撮影装置１０２−１や携帯型画像登録装置１０３、画像管理サーバ１０５の機能が実現される。この場合、複数の情報処理装置はそれぞれ通信回路を有しており、当該通信回路により互いに通信可能である。これら複数の情報処理装置は所定の通信レートで通信可能であればよく、同一の病院施設内あるいは同一の国に存在することを要しない。
【０１２１】
また、本発明の実施形態には、前述した実施形態の機能を実現するソフトウェアのプログラムを、システムあるいは装置に供給し、そのシステムあるいは装置のコンピュータが該供給されたプログラムコードを読み出して実行する、という形態を含む。
【０１２２】
従って、実施形態に係る処理をコンピュータで実現するために、該コンピュータにインストールされるプログラムコード自体も本発明の実施形態の１つである。また、コンピュータが、読み出したプログラムに含まれる指令に基づき、コンピュータ上で稼動しているＯＳなどが、実際の処理の一部または全部を行い、その処理によっても前述した実施形態の機能が実現され得る。
【０１２３】
上述の実施形態を適宜組み合わせた形態も、本発明の実施形態に含まれる。
【図１】
0006552251.tif 000002
【図２】
0006552251.tif 000003
【図３】
0006552251.tif 000004
【図４】
0006552251.tif 000005
【図５】
0006552251.tif 000006
【図６】
0006552251.tif 000007
【図７】
0006552251.tif 000008
【図８】
0006552251.tif 000009
【図９】
0006552251.tif 000010
【図１０】
0006552251.tif 000011
【図１１】
0006552251.tif 000012
【図１２】
0006552251.tif 000013
【図１３】
0006552251.tif 000014
【図１４】
0006552251.tif 000015
【図１５】
0006552251.tif 000016
【図１６】
0006552251.tif 000017
【図１７】
0006552251.tif 000018
【図１８】
0006552251.tif 000019
【図１９】
0006552251.tif 000020
【図２０】
0006552251.tif 000021
【図２１】
0006552251.tif 000022
【図２２】
0006552251.tif 000023